Podtech/llm-jp-corpus-v4-ja_patent huggingface dataset:
(57)【要約】【課題】インク粘度に影響されずに、安定した形状のバッドマークを形成することができるマーキング用半導体基板を提供する。【解決手段】半導体基板２上にマトリクス状に配置された複数の素子３と、この複数の素子３を覆う保護膜４とで構成され、複数の素子３の中の不良品を示すバッドマーク６が形成されるマーキング用半導体基板１において、各素子３に対応する保護膜４上に凹部５が形成されている。この結果、インク粘度に影響されずに、安定した形状のバッドマークを形成することができる。【選択図】図１
2007129074.tif 000002
【特許請求の範囲】
【請求項１】
半導体基板上にマトリクス状に配置された複数の素子と、前記複数の素子を覆うＳｉＯ2からなる保護膜とで構成され、前記複数の素子の中の不良品を示す親水性のバッドマークが形成されるマーキング用半導体基板において、
各素子に対応する前記保護膜上に凹部が形成されていることを特徴とするマーキング用半導体基板。
【発明の詳細な説明】
【技術分野】
【０００１】
本発明は、マーキング装置により、表面近傍に形成された複数の素子に良否判別用バッドマークを形成用のマーキング用半導体基板に関する。
【背景技術】
【０００２】
半導体基板に形成された複数の素子の不良品チェックは、不良チップにバッドマークを形成させるマーキング装置により行われていた。
このマーキング装置を用いたバッドマークを形成することは、特許文献１に記載されている。
【０００３】
即ち、マーキング装置は、マーキング用インクを貯えるインクつぼと、このインクつぼの下部中心に挿入されている管状のつぼ先端と、インクつぼに貯えられたインクつぼ先端を通して押し出すための中芯と、この中芯と連結した軸に取り付けられたソレノイド部とを備えている。
【０００４】
半導体基板に形成されている複数の素子の中に不良品がある場合に、不良品であることを示すインクつぼに電気信号を送り、このインクつぼからインクを射出して、上記した不良品素子上にバッドマークを形成するようにしている。そして、使用中のソレノイド部の温度上昇を抑えるために、ソレノイド部に空気流を吹き付けてインク径のバラツキやバッドマーク形状の変動を防止するようにしている。
【特許文献１】特開２００５−１５０２３８号公報
【発明の開示】
【発明が解決しようとする課題】
【０００５】
しかしながら、インクの粘度が変化した場合には、ソレノイド部の温度上昇を抑えてもインク径のバラツキやバッドマーク形状を一定形状にすることができない。後工程におけるバッドマークを検出して不良品を取り除く検査工程を容易にするために、バッドマーク形状としては、厚さ５μｍ以下、かつ直径２５０μｍ以上が必要であるので、バッドマーク形状が不定形では、上記した検査工程での精度の良い検出を行うことができない。
【０００６】
そこで、本発明は、前述の課題に鑑みて提案されるものであって、インク粘度に影響されずに、安定した形状のバッドマークを形成することができるマーキング用半導体基板を提供することを目的とする。
【課題を解決するための手段】
【０００７】
本願発明は、半導体基板上にマトリクス状に配置された複数の素子と、前記複数の素子を覆うＳｉＯ2からなる保護膜とで構成され、前記複数の素子の中の不良品を示す親水性のバッドマークが形成されるマーキング用半導体基板において、各素子に対応する前記保護膜上に凹部が形成されていることを特徴とするマーキング用半導体基板を提供する。
【発明の効果】
【０００８】
本発明によれば、各素子に対応する保護膜上に凹部が形成されているので、インク粘度に影響されずに、安定した形状のバッドマークを形成することができる。
【発明を実施するための最良の形態】
【０００９】
以下、本発明に係るマーキング用半導体基板の実施の形態について、図１を参照して詳細に説明する。
図１は、本発明の実施の形態に係るマーキング用半導体基板を示し、（Ａ）は平面図、（Ｂ）は、（Ａ）のＭＭ断面図である。
【００１０】
図２は、凹部にバッドマークが形成された様子を示す断面図である。
本発明の実施の形態におけるマーキング用半導体基板１は、以下の構成を有している。
図１に示すように、マーキング用半導体基板１は、半導体基板２上にマトリクス状に配置された矩形状の複数の素子３と、この複数の素子３を覆うＳｉＯ2からなる保護膜４が順次形成されている。そして、複数の素子３に対応する保護膜４の位置にダムとなる凹部５が形成されている。
【００１１】
凹部５の形状は、矩形状の素子３の短辺よりも短い。また、凹部５の深さは、１０００Åである。図１中では、凹部５の形状は、円形としたが、多角形でも良い。
図２に示すように、従来例と同じようにしてマーキング装置を用いて、凹部５に親水性のバッドマーク６を形成した場合には、凹部５を有しているので、親水性のインクの粘度が変化しても、凹部５と同じ形状となるので、一定形状にすることができる。
【００１２】
以上のように本発明の実施の形態によれば、マーキング用のインクが保護膜４に形成された凹部５の形状で規定されるので、インク粘度が変化しても一定形状のバッドマーク６を形成できる。この結果、後工程における検査工程での精度の良い検出を行うことができる。
【図面の簡単な説明】
【００１３】
【図１】本発明の実施の形態に係るマーキング用半導体基板を示し、（Ａ）は平面図、（Ｂ）は、（Ａ）のＭＭ断面図である。
【図２】凹部にバッドマークが形成された様子を示す断面図である。
【符号の説明】
【００１４】
１…マーキング用半導体基板、２…半導体基板、３…素子、４…保護膜、５…凹部、６…バッドマーク
【図１】
2007129074.tif 000003
【図２】
2007129074.tif 000004
(57)【要約】【課題】本発明は放熱特性を損なうことなく静電気ノイズに対する対策も行える放熱装置を提供することを目的とする。【解決手段】発熱部品１は、基板２に実装されており、基板２のサーマルビアを通して基板取付兼熱伝導用板金３に熱を逃がす。基板はキャビネット４で覆われているため、熱を外部に逃がすために熱伝導シリコンゴム板５を経て放熱フィン６に熱を伝え外部に逃がす。全ての熱伝導経路を金属ではなく、基板取付兼熱伝導用板金３を一旦熱伝導シリコンゴム板５で電気的に遮断したあと放熱フィン６で放熱することにより外部からのノイズの伝播を防ぐことができる。【選択図】図１
2007194254.tif 000002
【特許請求の範囲】
【請求項１】
パチンコ台に使用される発熱部品から発する熱を放熱する放熱装置であり、
前記発熱部品を実装する基板と、
前記発熱部品から発する熱を前記パチンコ台のキャビネット外に放出する放熱フィンと、
前記基板を前記キャビネットに取り付ける機能と、前記基板の銅箔を介して前記発熱部品の熱を伝導する機能をもつ基板取り付け兼熱伝導用板金と、
高い熱伝導性を有し電気絶縁性を持ち、前記基板取り付け兼熱伝導用板金からの熱を前記放熱フィンに伝導し、電気的には絶縁された熱伝導シリコンゴム板と
で構成されたことを特徴とする静電気ノイズ対策機能付き放熱装置
【発明の詳細な説明】
【技術分野】
【０００１】
本発明はパチンコ台等に使用されている電気回路部品の放熱装置において、パチンコ台特有の高電圧静電気ノイズに対して対策機能を有し、かつ、従来と同等の放熱機能を持つ放熱装置に関するものである。
【背景技術】
【０００２】
従来の構造は、電気回路部品で発生する熱を、板金等の金属を使用してキャビネット外部に熱を伝達する熱伝達部分と、外部に板金の一部を露出させ、外気に触れさせることにより冷却を行う放熱部分より構成されている。
図２にそのような放熱装置の構成図を示す。発熱部品２１は基板２２に実装され、熱は基板の銅箔を介して基板取付兼熱伝導用板金２３に伝えられ金属製の放熱フィン２５から外気に熱を逃がす。
【０００３】
しかしながら金属は電気も通しやすいことから、放熱フィン２５のようなキャビネット２４外の露出金属部に対して、パチンコ台に特有の静電気ノイズが流れた場合、熱伝達経路がノイズ伝播経路となり、内部回路近傍まで静電気ノイズが達し、誤動作の原因になる。ヒートシンクの耐ノイズ性を上げる目的としては特許文献１のように露出金属部を絶縁膜で覆う方法も考案されている。
【特許文献１】特開平１−２２７４６０号公報
【発明の開示】
【発明が解決しようとする課題】
【０００４】
上記のように、従来の放熱構造では熱伝導特性に着目して金属を使用しているため、静電気ノイズに対する防御は考えられていなかった。また、回路自体も影響を受けにくかったので必要性もあまり考えられていなかった。
【０００５】
しかしながら液晶画面の大型化による画素数の増加、画像表示内容の高画質化に伴って、回路に要求される処理速度は年々早くなってきており、これを実現するためには動作クロックを上げる必要があり、回路自体の応答速度が早くなるため、ノイズの影響を受けやすくなっている。また、高速で動作する回路ほど発熱が大きく、この発熱を抑えるために低電圧化されており、電源電圧の面からもノイズに弱くなってきている。従って、今後ノイズに対する対策を行いつつ放熱を行う装置が必要になってくる。
【０００６】
本発明は、上記の課題を解決するもので、放熱特性を損なうことなく静電気ノイズに対する対策も行える放熱装置を提供することを目的とする。
【課題を解決するための手段】
【０００７】
上記従来の課題を解決するために、本発明の静電気ノイズ対策機能付き放熱装置は、パチンコ台に使用される発熱部品から発する熱を放熱する放熱装置であり、前記発熱部品を実装する基板と、前記発熱部品から発する熱を前記パチンコ台のキャビネット外に放出する放熱フィンと、前記基板を前記キャビネットに取り付ける機能と、前記基板の銅箔を介して前記発熱部品の熱を伝導する機能をもつ基板取り付け兼熱伝導用板金と、高い熱伝導性を有し電気絶縁性を持ち、前記基板取り付け兼熱伝導用板金からの熱を前記放熱フィンに伝導し、電気的には絶縁された熱伝導シリコンゴム板とで構成されたことを特徴とする
耐静電気ノイズ特性を持たせた放熱装置である。熱伝導性シリコンゴムは金属より熱伝導性は劣るが、熱回路の最終放熱フィン部に適用することにより、面積的に熱伝導性を確保することができ、かつ、内部回路から最も離れた部分で電気的に遮断することができるので耐ノイズ性も有利になる。
【発明の効果】
【０００８】
本発明の静電気ノイズ対策機能付き放熱装置によれば、放熱特性を犠牲にすることなく耐ノイズ特性を持たせた放熱構造を実現することができる。
【発明を実施するための最良の形態】
【０００９】
以下本発明を実施するための最良の形態について、図面を参照しながら説明する。
【００１０】
（実施の形態１）
図１は、本発明の実施の形態１における静電気ノイズ対策機能付き放熱装置の構成図である。図１において、発熱部品１は、基板２に実装されており、基板２のサーマルビア（基板の銅箔を介して熱を反対面に伝える貫通スルーホール）を通して基板取付兼熱伝導用板金３に熱を逃がす。基板はキャビネット４で覆われているため、熱を外部に逃がすために熱伝導シリコンゴム板５を経て放熱フィン６に熱を伝え外部に逃がす。
【００１１】
全ての熱伝導経路を金属ではなく、基板取付兼熱伝導用板金３を一旦熱伝導シリコンゴム板５で電気的に遮断したあと、放熱フィン６で放熱することにより外部からのノイズの伝播を防ぐことができる。
【００１２】
以上、本発明の静電気ノイズ対策機能付き放熱装置によれば、放熱特性を犠牲にすることなく、耐ノイズ特性を持たせた静電気ノイズ対策機能付き放熱装置を実現することができる。
【００１３】
なお、本願の場合、放熱フィン６を静電気対策としてアースすることが困難な状況で実施するもので、金属製の放熱フィン６をアースすることにより耐静電気性は向上することは言うまでもない。
【産業上の利用可能性】
【００１４】
本発明にかかる静電気ノイズ対策機能付き放熱装置は、放熱特性を犠牲にすることなく耐ノイズ特性を持たせた放熱構造を実現するする手段として有用である。
【図面の簡単な説明】
【００１５】
【図１】本発明の実施の形態１における静電気ノイズ対策機能付き放熱装置の構成図
【図２】従来の放熱装置の構成図
【符号の説明】
【００１６】
１、２１  発熱部品
２、２２  基板
３、２３  基板取付兼熱伝導用板金
４、２４  キャビネット
５  熱伝導シリコンゴム板
６、２５  放熱フィン
【図１】
2007194254.tif 000003
【図２】
2007194254.tif 000004
(57)【要約】【課題】プリペイドカードの電子金額チャージを行う場合、専用機器が必要であり都度特定された環境での利用が必要である。課金情報をテレビ放送波に重畳して放送が可能な環境において、受信可能な場所でテレビ受信機を利用することによりプリペイドカードへの電子金額のチャージ装置を提供する。【解決手段】放送波に暗号化され重畳された課金情報をテレビチューナ部１より取得し、テレビ受信機にて制御部３にて提供される操作部４の操作により暗号解読処理部２にて暗号の解読・復調の処理を行い、課金情報演算処理部５によって表示された課金情報をカード書込処理部によってカードスロットＣに挿入されたプリペイドカードへ電子金額をチャージできる手段を備えた構成である。【選択図】図１
2007194697.tif 000002
【特許請求の範囲】
【請求項１】
プリペイドカードへの情報書き込み機能を有し、
外部からの情報をもとに前記プリペイドカードに電子的に金額情報の書き込みを行うことのできるテレビ受像機であって、
受像機が受信した外部情報を装置における画面上の操作によって書き込む機能を有するテレビ受信装置。
【請求項２】
テレビ受信装置において、暗号化された情報とカードに予め書き込まれた情報を演算処理する機能を有することを特徴とする請求項１に記載のテレビ受信装置。
【発明の詳細な説明】
【技術分野】
【０００１】
この発明は外部で決裁された金額情報をプリペイドカードに書き込む機能を有するテレビ受信装置に関するものである。
【背景技術】
【０００２】
プリペイドカードに金額情報を追加および変更を行い、書き込みを行う場合、専用の書き込み装置を用いて書き込みがなされることが一般的である。
【０００３】
プリペイドカードにおける金額情報は保信管理が必要であることから、専用の書き込み装置と情報を管理する装置を専用線で接続された機器を利用する必要があり、一般的な書き込みの一連の処理は以下の通りである。
（１）対価金額を支払い決済する
（２）決済した金額、決済情報を取得する
（３）取得した上記の情報に基づいてカード等の媒体に課金情報を記録する
【特許文献１】特開平５−２０７６４６号公報
【特許文献２】特開２００１−３３８２３３号公報
【発明の開示】
【発明が解決しようとする課題】
【０００４】
従来のプリペイドカードへの課金においては、あらかじめ外部機関への決済が完了していることが必要であり、プリペイドカード等の媒体に課金情報を書き込む際に決済情報を得る環境が必要であるため、電話線等の通信設備を伴った限定的な設備を利用する必要がある。
【０００５】
このため、プリペイドカード等の課金情報の更新の必要が発生した場合、都度書き込むための設備を利用する必要があり、利用の便宜上の大きな妨げになっているものである。
【０００６】
この発明は、テレビ受信装置において、あらかじめ決済された課金情報をテレビ電波の情報として重畳し、暗号化する手段を用いて伝送し提供する環境において、各家庭のテレビ受信装置にて受信することにより、テレビ受信機内部にて情報の処理を行い、従来、書き込みの都度専用設備を利用することなく、テレビ受信装置に接続されたカード書き込み装置を通じて課金情報を更新する手段を提供することを目的とする。
【課題を解決するための手段】
【０００７】
本発明は放送局から送出されるテレビ電波とともに送られる課金情報をテレビ受信機で受信し、テレビ内部の演算装置でプリペイドカードへの書き込み情報へ変換し、テレビ受信機に接続されたカードスロットを通じカードに記載された個別情報に従った課金情報を書き込むことを特徴とする。
【発明の効果】
【０００８】
本発明によれば、テレビ受信装置からプリペイドカードへの電子金額のチャージが可能になる。放送により課金情報を伝送することにより、テレビ受信機の付加機能として利用が可能となり設置環境にとらわれず、安価で電子チャージの実施が可能となる。
【発明を実施するための最良の形態】
【０００９】
以下の図面によりこの発明の実施の形態について説明する。
【００１０】
（実施の形態１）
図１は本発明を実施する形態によるテレビ受信装置の構成を示している。
本テレビ受信装置は、外部に通じたカードスロットＣを備えており、外部からの操作を行う操作部４および受信機内部の状態を表示する画面表示部６を備えている。
【００１１】
テレビ受信装置の機能としてアンテナＡで受信したテレビ信号をテレビチューナ部１で制御情報を受信し、制御部３による切換によりチューナからの受信情報を暗号解読処理部２および課金情報演算処理部５の制御を行うものである。
【００１２】
本テレビ受信装置により、受信した制御情報およびカード書込処理部を通じて、カードスロットＣに挿入されたカード情報により、暗号解読処理部２で暗号化された情報の復調を行うとともに、復調された制御情報にしたがって、受信した情報より課金情報演算処理部５で演算を行い、現在の課金情報を算出するとともにカードへ書き込むことのできる情報へ変換する。
【００１３】
課金情報演算処理部５で処理された情報の結果を画面表示部６へ表示し、受信した制御情報より得た決済情報が確認すると同時に書き込みを選択できる手段を提供するものである。
【産業上の利用可能性】
【００１４】
本発明に係るプリペイドカードへの電子金額チャージ機能を有するテレビ受信装置は、テレビ受信装置からプリペイドカードへの電子金額のチャージが可能になるので、外部で決裁された金額情報をプリペイドカードに書き込む機能を有するテレビ受信装置等として有用である。
【図面の簡単な説明】
【００１５】
【図１】本発明の実施の形態１におけるプリペイドカードへの電子金額チャージ機能を有するテレビ受信装置の構成を示すブロック図
【符号の説明】
【００１６】
１    テレビチューナ部
２    暗号解読処理部
３    制御部
４    操作部
５    課金情報演算処理部
６    画面表示部
７    カード書込処理部
Ａ    アンテナ
Ｃ    カードスロット
【図１】
2007194697.tif 000003
(57)【要約】【課題】  本発明は木製の台座の上に極太の孟宗竹を立てて、中に電極端子が一つしかない市販の新型蛍光灯を立て行灯を提供する。孟宗竹を立てる方法として、和竿の印籠継ぎのように孟宗竹の根元にピタリと入るように、木製の円柱凸部を作り台座に固定し、孟宗竹を円柱凸部に入れて直立させる。極太の孟宗竹は和竿の原竹のように乾燥し、火入れを行った上で、竹の割れを防ぐため孟宗竹の上部および下部に太い絹糸を巻き、漆塗りを施す。孟宗竹の中に入れた蛍光灯のひかりが外にもれるよう、孟宗竹の上部と下部の間の部分をくり貫く。竹篭を編む際に用いる六つ目網状にくり貫いたり、その他いろいろな形状にくり貫く。なお、孟宗竹の内側には、蛍光灯のひかりを通す和紙の円柱を入れる。【手段】  従来の両端に電極がある直管蛍光灯ではなく、一端のみ電極があるブリッジ型ツイン１蛍光灯を使用する。また、蛍光灯安定器をソケットに接続するが、この安定器を木製台座に埋め込むことにより、設置場所を確保する。【選択図】図１
2007194179.tif 000002
【特許請求の範囲】
【請求項１】
電極が片側のみの蛍光灯の安定器を設置する場所を木製の台座の中央部分とし、安定器がすっぽりおさまるように、台座上部をくり抜く。
【請求項２】
この木製の円形、だ円形、もしくは多角形の台座の上に極太の孟宗竹を立てて、中に電極が片側のみの蛍光灯を立て行灯とする。孟宗竹を立てる方法として、和竿の印籠継ぎのように孟宗竹の根元にピタリと入るように、木製の円柱凸部（高さ３センチ程度）を作り台座に固定する。この円柱凸部に孟宗竹を入れて台座に直立させる。
【請求項３】
極太の孟宗竹は和竿の原竹のように乾燥し、火入れを行った上で、竹の割れを防ぐため孟宗竹の上部および下部に太めの絹糸を巻き、絹糸および竹全体に漆塗りを施す。
【請求項４】
孟宗竹の中に入れた蛍光灯のひかりが、孟宗竹の内側にいれた円柱状の和紙からもれるよう、孟宗竹の上部と下部の間の部分をくり貫く。竹篭を編む際に用いる六つ目網状にくり貫いたり、丸穴を開ける等、いろいろな模様が和紙からもれるひかりで浮き出るようにくり貫く。
【発明の詳細な説明】
【技術分野】
【０００１】  本発明は、極太（元径２０センチ前後）の孟宗竹（高さ５０〜１００センチ）と電極が片側しかない蛍光灯と木製台座を使用した和風行灯に関するものである。
【背景技術】
【０００２】  乾燥した孟宗竹は年月を経ると割れを生じる。これを防ぐため、ちょうど和竿の継げ口に絹糸を巻き、漆で固めるように、孟宗竹の上部および下部に太めの絹糸を巻き、漆塗りを施す。また、孟宗竹と台座を接続するため、和竿の印籠継ぎのように孟宗竹の根元にピタリと入るように、木製の円柱凸部（高さ３センチ程度）を作り台座に固定する。こうして孟宗竹を円柱凸部に入れて台座に直結することにより、行灯の重心が下がり、倒れにくくなる。
【発明の開示】
【発明が解決しようとする課題】
【０００３】  ・猛宗竹は乾燥すると割れるため、従来は行灯に使用できなかったが、太めの絹糸を巻いて漆塗りすることにより、割れを回避できる。
・蛍光灯を使用するため、白熱灯ほど熱が出ないので安心できる。
・蛍光灯の色（赤、青、緑）を変えられるので、利用目的にあった色や設置場所にあった色を選択できる。
【課題を解決するための手段】
【０００４】  従来の両端に電極がある直管蛍光灯ではなく、一端のみ電極があるブリッジ型ツイン１蛍光灯（ナショナル製、ＪＩＳ  Ｃ７６０１  認定番号６７３００２ＭＥ）を使用する。また、蛍光灯安定器（長さ１３センチ、高さ３センチ、幅４．７センチ）をソケットに接続しなけれならず、この安定器の置き場所が問題となったが、木製台座の中央に埋め込むことにより、設置場所を確保する。この場所以外に置ける適当な場所はない。
本発明は、以上の構成よりなる大竹直立蛍光灯行灯である。
【発明の効果】
【０００５】  竹が本来的に持つ癒し効果を充分享受でき、なおかつ直立した蛍光灯の機能性、すはわち明るさと過度に熱をおびない特性を発揮できる。また、長期使用にも耐えるよう孟宗竹に和竿作りの糸巻きの技術を取り入れて割れを回避し、同時に漆塗りの美観を醸し出す。
【発明を実施するための最良の形態】
【０００６】  以下、本発明の実施の形態を説明する。
（イ）木製の円形等の台座中央に蛍光灯の安定器をいれるため、直方体の穴を開ける。さらに台座外部から安定器をおさめる穴に向かって直径１センチ程度の横穴を二個開ける。この横穴を通じて電気コードを安定器に接続する。
（ロ）孟宗竹の元部と接続するため、長さ３センチ程度の木製の円柱凸部を作り、台座に固定する。なお、あらかじめ円柱凸部には安定器とソケットを配線するための穴をドリルで開けておく。
（ハ）この円柱凸部の中央にソケットを固定するが、ソケット脇に開けた配線用穴を通じて、ソケットと安定器を配線後、蛍光灯をソケットに入れ直立させる。
（二）孟宗竹の上下部分に太めの絹糸を巻き、漆塗りを行う。中間部分を竹かごで使うの六つ目編みのようにくり貫き、ひかりが外にもれるようにする。
（ホ）孟宗竹全体に数回漆塗りを行い、乾燥後、孟宗竹の内側に筒状に和紙を入れる。
（ヘ）直立した蛍光灯に孟宗竹をかぶせて、和竿をつなぐように円柱凸部に孟宗竹を差し込み、台座に固定する。なお、直立したツイン蛍光灯の上部がぐらつくので、円形にくり貫いた孟宗竹のふしの中央に、蛍光灯上部の形状に穴を開け、この円形ふしを蛍光灯上部に置くことにより蛍光灯上部のぐらつきを抑える。
（ト）最後に、孟宗竹上部に和紙で作ったふたをして完成する。
【図面の簡単な説明】
【０００７】
【図１】本発明の斜視図
【図２】本発明の台座・円柱凸部・ソケット・蛍光灯部分拡大正面斜視図
【図３】本発明の台座部分拡大背面斜視図
【符号の説明】
【０００８】（１）ソケット        （２）円柱凸部          （３）台座
（４）蛍光灯安定器とその穴    （５）電気コード用穴
（６）空気穴（安定器が出す熱を逃がすため）    （７）孟宗竹
【図１】
2007194179.tif 000003
【図２】
2007194179.tif 000004
【図３】
2007194179.tif 000005
(57)【要約】【課題】  規定以上の出力パワーのＰＬＣモデムが接続されるのを監視する。【解決手段】  監視装置１０の電源プラグ１２とコンセント１４との間の電力線１６に、電力線通信の低出力パワーの送受信回路１８と、電力線１６上のパワースペクトルを測定するスペクトル測定回路２０が接続する。スペクトル測定回路２０は、電力線１６上の電力線通信の帯域内のパワースペクトルを常時、計測し、計測結果を制御回路２２に通知する。制御回路２２は、スペクトル測定装置２０の測定結果から、規定以上のパワーが電力線１６上にあるかどうかを判断し、規定以上のパワーがある場合には、送受信回路１８を介して統括制御装置４０に警報信号を送信すると共に、警報装置２４により音又は光で周囲の人間に通知する。【選択図】  図１
2007096823.tif 000002
【特許請求の範囲】
【請求項１】
電力線上のスペクトルを測定するスペクトル測定回路（２０）と、
当該スペクトル測定回路の測定結果に従い、当該電力線上に規定以上のパワーがあるかどうかを判断する判断回路（２２）と、
当該電力線上に規定以上のパワーがある場合に、警報を出力する警報装置（２４）と、
当該電力線上に規定以上のパワーがある場合に、警報信号を統括制御装置に送信する警報送信回路（１８）
とを具備することを特徴とする電力線通信モデム接続監視装置。
【請求項２】
更に、当該電力線の一端に電源プラグを具備し、他端にコンセントを具備することを特徴とする請求項１に記載の電力線通信モデム接続監視装置。
【請求項３】
請求項１又は２に記載の電力線通信モデム接続監視装置と、
当該電力線通信モデム接続監視装置からの警報信号を受信する統括制御装置
とを具備し、当該統括制御装置は、当該電力線通信モデム接続監視装置が動作していることを継続的に監視することを特徴とする電力線通信モデム接続監視システム。
【発明の詳細な説明】
【技術分野】
【０００１】
本発明は、電力線通信ネットワークにおいて、出力パワーが大きすぎる電力線通信モデムの接続を監視し警告する装置及びシステムに関する。
【背景技術】
【０００２】
電力線通信（ＰＬＣ）ネットワークでは、電源コンセントに電力線通信モデムを接続することで、電力線通信ネットワークに参加できる。
【発明の開示】
【発明が解決しようとする課題】
【０００３】
出力パワーが高すぎるＰＬＣモデムが接続されると、電力線通信ネットワークの通信の阻害要因となり、安定な通信が行えなくなる。
【０００４】
本発明は、出力パワーが大きすぎる電力線通信モデムの接続を監視する装置及びシステムを提示することを目的とする。
【課題を解決するための手段】
【０００５】
本発明に係る電力線通信モデム接続監視装置は、電力線上のスペクトルを測定するスペクトル測定回路と、当該スペクトル測定回路の測定結果に従い、当該電力線上に規定以上のパワーがあるかどうかを判断する判断回路と、当該電力線上に規定以上のパワーがある場合に、警報を出力する警報装置と、当該電力線上に規定以上のパワーがある場合に、警報信号を統括制御装置に送信する警報送信回路とを具備することを特徴とする。
【０００６】
本発明に係る電力線通信モデム接続監視システムは、上述の電力線通信モデム接続監視装置と、当該電力線通信モデム接続監視装置からの警報信号を受信する統括制御装置とを具備し、当該統括制御装置が、当該電力線通信モデム接続監視装置が動作していることを継続的に監視することを特徴とする。
【発明の効果】
【０００７】
本発明により、規定以上の出力パワーの電力線通信モデムの接続を監視でき、早期に通報できる。また、監視装置の取り外しを監視するので、監視の実効性を保てる。
【発明を実施するための最良の形態】
【０００８】
以下、図面を参照して、本発明の実施例を詳細に説明する。
【０００９】
図１は、本発明の一実施例の概略構成ブロック図を示す。本実施例の監視装置１０は、電源タップ又は延長コードに組み込まれている。監視装置１０の電源プラグ１２とコンセント１４（１４−１〜１４−４）との間の電力線１６に、電力線通信の低出力パワーの送受信回路１８と、電力線１６上のパワースペクトルを測定するスペクトル測定回路２０が接続する。
【００１０】
スペクトル測定回路２０は、電力線１６上の電力線通信の帯域内のパワースペクトルを常時又は間歇的に計測し、計測結果を制御回路２２に通知する。制御回路２２は、スペクトル測定装置２０の測定結果から、規定以上のパワーが電力線１６上にあるかどうかを判断し、規定以上のパワーがある場合には、送受信回路１８を介して後述する統括制御装置４０に警報信号を送信すると共に、警報装置２４により音又は光で周囲の人間に通知する。
【００１１】
監視装置１０の電源プラグ１２は、家庭内又はオフィス内の電力線３０に接続するコンセント３２に接続する。コンセント３２は、通常、壁又は床に設置されている。電力線３０には更に、コンセント３４が接続する。
【００１２】
統括制御装置４０は、電力線４２及び信号線４４を介してＰＬＣモデム４６と接続する。ＰＬＣモデム４６の電源プラグ４８はコンセント３４に接続する。ＰＬＣモデム４６は、監視装置１０の送受信回路１８と、所定の電力線通信方式で通信できるように設定されている。ＰＬＣモデム４６を介して、統括制御装置４０は、監視装置１０からの警報信号を受信できる。監視装置１０とＰＬＣモデム４６との間の通信速度は、ごく遅くて良いので、送受信回路１８の出力パワーは非常に低くてよい。
【００１３】
また、統括制御装置４０は、常時、監視装置１０と通信して、監視装置１０が電力線３０に接続されていることをモニタしており、監視装置１０がコンセント３４から外されるなどして監視装置１０との通信が遮断されると、音又は光で警報を出力する。
【００１４】
特定の説明用の実施例を参照して本発明を説明したが、特許請求の範囲に規定される本発明の技術的範囲を逸脱しないで、上述の実施例に種々の変更・修整を施しうることは、本発明の属する分野の技術者にとって自明であり、このような変更・修整も本発明の技術的範囲に含まれる。
【図面の簡単な説明】
【００１５】
【図１】本発明の一実施例の概略構成ブロック図を示す。
【符号の説明】
【００１６】
１０：監視装置
１２：電源プラグ
１４（１４−１〜１４−４）：コンセント
１６：電力線
１８：送受信回路
２０：スペクトル測定回路
２２：制御回路
２４：警報装置
３０：電力線
３２，３４：コンセント
４０：統括制御装置
４２：電力線
４４：信号線
４６：ＰＬＣモデム
４８：電源プラグ
【図１】
2007096823.tif 000003
(57)【要約】【課題】本発明は、簡単な構造で、空気の循環が良く、効率よく換気できる機器収納用箱体を提供することを目的としている。【解決手段】給気孔３は本体２の下方に、排気孔４は本体２の上方に設け、ケース６にも換気用の開口７を設けると共に、本体２の下面内側には給気孔３に略筒状のダクト８を取り付け、ケース６に設けられた開口７に接続し、給気孔３より取り入れた冷気を直接ケースに通し、排気孔４より排出し、本体２の温度上昇を抑えることを特徴とする。【選択図】図１
2007096094.tif 000002
【特許請求の範囲】
【請求項１】
本体に給気孔と排気孔とを有し、ケースに収めた各種電気機器や通信機器等を取り付ける機器収納用箱体において、前記給気孔は前記本体の下方に、前記排気孔は前記本体の上方に設け、前記ケースにも換気用の開口を設けると共に、前記本体の下面内側には前記給気孔に略筒状のダクトを取り付け、前記ケースに設けられた開口に接続し、前記給気孔より取り入れた冷気を直接前記ケースに通し、前記排気孔より排出することを特徴とする機器収納用箱体。
【発明の詳細な説明】
【技術分野】
【０００１】
本発明は、本体に給気孔と排気孔とを有し、ケースに収めた各種電気機器や通信機器等を取り付ける機器収納用箱体に関するものである。
【背景技術】
【０００２】
従来は、本体３１の下面に給気孔３２を、上方には排気孔３３を設けていた。給気孔３２から取り入れられた冷気は発熱体である機器３４を冷ましながら暖かくなり上昇し、排気孔３３から暖気は排出され、本体３１の内部で空気を対流させながら温度上昇を抑えていた。
【特許文献１】特開２０００−３５３８８８号公報
【特許文献２】特開２００３−８２６６号公報
【特許文献３】実用新案登録第３０７５８１０号公報
【特許文献４】実用新案登録第３０７８７０４号公報
【発明の開示】
【発明が解決しようとする課題】
【０００３】
しかしながら、上記従来技術における機器収納用箱体では、給気孔３２から取り込まれた冷気は本体３１内部に分散してしまい、本体３１に収納された機器３４に効率よく冷気が当たらず、十分に温度上昇を抑えることができなかった。また、排気の能力も低く、排出されるべき暖気がまた、機器に給気されてしまい、暖気が本体３１の中を循環することになり、本体３１内の温度上昇を促進する結果となっていた。また、収納される機器３４の発熱量によっては換気孔３２、３３の数が足らない場合もあった。
【課題を解決するための手段】
【０００４】
本発明は、簡単な構造で、空気の循環のよい機器収納用箱体を提供することを目的とし、その構造は、給気孔は本体の下方に、排気孔は本体の上方に設け、ケースにも換気用の開口を設けると共に、本体の下面内側には給気孔に略筒状のダクトを取り付け、ケースに設けられた開口に接続し、給気孔より取り入れた冷気を直接ケースに通し、排気孔より排出することを特徴とする。
【発明の効果】
【０００５】
本発明に係る機器収納用箱体は、給気孔は本体の下方に、排気孔は本体の上方に設け、ケースにも換気用の開口を設けると共に、本体の下面内側には給気孔に略筒状のダクトを取り付け、ケースに設けられた開口に接続し、給気孔より取り入れた冷気を直接ケースに通し、排気孔より排出するため、ファン等の強制換気させるような機器を用いることなく、機器収納用箱体の本体内部の温度を効率よく抑えることができる。また、給気を効率よく行えることによって、排気も強力に行える。
【発明を実施するための最良の形態】
【０００６】
効率の良い換気を行うという目的を、最小の部品点数で、且つファン等の強制換気を行う機器を用いることなく実現した。
【実施例１】
【０００７】
本発明は、図１〜図２の添付図面に基づいて説明する。
【０００８】
本発明に係る機器収納用箱体１は、本体２の下面に給気孔３が設けられる。また、本体２の上方、例えば側面の上のほうに排気孔４が設けられる。
【０００９】
本体２の背面に基板５を設け、基板５に機器等を取り付ける。電気機器や通信機器等はケース６に収められ、ケース６を基板５に取り付けて機器を本体２に収納する。機器を納めるケース６には上面と下面とに開口７を設け、ケース６内の換気を行う。
【００１０】
本体２の内側給気孔３には、ダクト８を取り付け、ケース６に設けられた下側開口７に直接接続する。ダクト８は、略筒状に形成され、給気孔３やケース６の大きさに合わせた取り付け部９を形成する。煙突効果により本体２の外から冷気が給気孔３より取り込まれる。取り込まれた冷気はダクト８を介してケース６に送られる。発熱体である機器からでる熱により暖められた空気は上昇し、ケース６から排出されさらに本体の排気孔４から排出され、換気を行うものである。
【００１１】
暖気が本体２の排気孔４から排出されなくても、ダクト８で冷気が取り込まれ、ケース６の開口へは暖気が再び給気されることがないので、本体内部の温度上昇を抑えることができる。
【００１２】
また、確実に給気を行うことにより、排気力も強力となり、本体に２取り込まれた冷気は効率よく本体内部を循環し、強制換気をするためにファン等の機器を用いることなく換気でき、温度上昇を抑えることができる。
【産業上の利用可能性】
【００１３】
ケース６に収められた機器を本体２に取り付ける時に、本体２に設けられた給気孔３とケース６の開口７とを接続すことにより、本体２外部から取り込まれた冷気を直接ケースへ送り込むことができ効率的に換気が行え温度上昇を抑えることができる。
【図面の簡単な説明】
【００１４】
【図１】本発明に係る機器収納用箱体の実施例を示す説明図である。（実施例１）
【図２】本発明に係る機器収納用箱体に取り付けられるダクトを示す説明図である。（実施例１）
【図３】従来の機器収納用箱体を示す説明図である。
【符号の説明】
【００１５】
１    機器収納用箱体
２    本体
３    給気孔
４    排気孔
５    基板
６    ケース
７    開口
８    ダクト
９    取り付け部
【図１】
2007096094.tif 000003
【図２】
2007096094.tif 000004
【図３】
2007096094.tif 000005
(57)【要約】【課題】線香が使われる祭典の特性または各祭典で祈願する各自の理由に応じて、それぞれ象徴されるキャラクタまたは文字の形状が一体に成形されてなる線香の提供。【解決手段】祭祀や葬礼、宗教的儀式などの各種祭典に使われる線香において、前記線香本体の一定の高さには、祭典の特性または各祭典で祈願する所望に応じて、それぞれ象徴されるキャラクタまたは文字の形状が表出されるようにする形状部が一体に成形されてなる、形状部を有する線香を提供する。【選択図】図１
2007302662.tif 000002
【特許請求の範囲】
【請求項１】
祭祀や葬礼、宗教的儀式などの各種祭典に使われる線香において、
前記線香本体の一定の高さには、祭典の特性または各祭典で祈願する所望に応じて、それぞれ象徴されるキャラクタまたは文字の形状が表出されるようにする形状部が一体に成形されてなることを特徴とする、形状部を有する線香。
【請求項２】
前記形状部は、平面または立体形状をすることを特徴とする、請求項１に記載の形状部を有する線香。
【請求項３】
前記形状部は、祭典の特性または各祭典で祈願する各自の所望に応じて、愛を祈るハート、勝利を象徴するＶ、衆生が本来持っている仏性を意味する蓮華、結婚を象徴する鴛鴦などのキャラクタ、および祝賀のための「祝」、健康と安寧を祈る「福」、合格を祈る「合格」などの文字のうちいずれか一つであることを特徴とする、請求項１または２に記載の形状部を有する線香。
【発明の詳細な説明】
【技術分野】
【０００１】
本発明は、祭祀や葬礼、宗教的儀式などの各種祭典に使われる線香に係り、具体的には、線香が使われる祭典の特性または各祭典で祈願する各自の理由に応じて、それぞれ象徴されるキャラクタまたは文字の形状が一体に成形されてなる線香に関する。
【背景技術】
【０００２】
周知の如く、線香は、一般に、祭祀や葬礼、宗教的儀式などの各種祭典で礼を尽くし、周辺を浄化するという意味で使用されている。
【０００３】
このような線香は、通常、木炭粉や炭酸カルシウムなどを主材料として成形化したものであって、細長い棒状に形成される。よって、前述した通常の線香が各種祭典で一律的に用いられている。
【０００４】
最近は、前記各種祭典で、特に各自の所望を祈願する宗教的儀式などに使われる線香として、自分なりの独特な表示を残したい心があることを着目し、外面に様々な所望入りの文字を印刷し或いは印刷された帯を付着したものも提供されている。
【０００５】
ところが、これは、線香が細長いから、所望入りの文字を直接印刷し或いは印刷された帯を付着することが非常に難しいうえ、前記文字を線香の外面に直接印刷または付着するためには線香の太さが太くなければならないという問題がある。
【０００６】
その上、かかる問題点によれば、製品の生産コストが高くなり、実質的には広く商用化できないという限界がある。
【発明の開示】
【発明が解決しようとする課題】
【０００７】
そこで、本発明は、上述した従来の技術の問題点および欠点を補完するものであって、その目的とするところは、祭祀や葬礼、宗教的儀式などの各種祭典に使われる線香を提供するが、前記線香が使われる祭典の特性または各祭典で祈願する各自の理由に応じて、それぞれ象徴されるキャラクタまたは文字の形状が一体に成形されてなる線香を提供することにある。
【課題を解決するための手段】
【０００８】
上記目的を達成するために、本発明は、祭祀や葬礼、宗教的儀式などの各種祭典に使われる線香において、前記線香本体の一定の高さには、祭典の特性または各祭典で祈願する所望に応じて、それぞれ象徴されるキャラクタまたは文字の形状が表出されるようにする形状部が一体に成形されてなる、形状部を有する線香を提供する。
【０００９】
この際、前記形状部は、平面または立体形状をする。
【発明の効果】
【００１０】
上述したように、本発明の形状部を有する線香によれば、祭祀や葬礼、宗教的儀式などの各種祭典に使われる線香の一定の高さに、線香が使われる祭典の特性または各祭典で祈願する理由に応じて、それぞれ象徴されるキャラクタまたは文字の形状からなる形状部が一体に成形されることにより、線香に対する様々な選択が可能になるという非常に有用な効果がある。
【発明を実施するための最良の形態】
【００１１】
以下に添付図面を参照しながら、本発明の好適な実施の形態について詳細に説明する。
【００１２】
図１は本発明に係る形状部を有する線香を示す斜視図、図２は本発明に係る形状部を有する線香の様々な実施例を示す正面図である。
【００１３】
本発明の形状部を有する線香は、図１および図２に示すように、棒状の本体１００と、前記本体の一定の高さに設けられる形状部２００とから構成される。
【００１４】
前記本体１００は、前述したように細い棒状をしているが、その太さは、折れたり撓んだりしないように、形状部２００の大きさによって異なる。
【００１５】
前記形状部２００は、本体１００の一定の高さに設けられるもので、線香が使われる祭典の特性または各祭典で祈願する所望に応じて、それぞれ象徴されるキャラクタまたは文字の形状が表出されるように一体に成形する。
【００１６】
すなわち、前記形状部２００は、各種キャラクタまたは文字の形状を持つとともに、前記線香本体１００と一体に成形されるものであって、最初には棒状の本体１００が燃焼し、続いて前記形状部２００が燃焼し得るように、本体１００の中間部位に設けられることが好ましい。
【００１７】
前記形状部２００の例として、図２に示すように様々な実施が可能である。
【００１８】
すなわち、前記形状部２００として、祭典の特性または各祭典で祈願する各自の所望に応じて、例えば愛を祈るハート、勝利を象徴するＶ、衆生が本来持っている仏性を意味する蓮華、結婚を象徴する鴛鴦（図示せず）などのキャラクタが設けられる。または、前記形状部２００として、祭典の特性または各祭典で祈願する各自の所望に応じて、例えば祝賀のための「祝」、健康と安寧を祈る「福」、合格を祈る「合格」（図示せず）などの文字が設けられる。
【００１９】
また、前記形状部２００のキャラクタまたは文字は、図２に示すように、前／後の両面に表示される平面的立体形状だけでなく、全方位的立体形状に形成されることが可能である。すなわち、前記線香が成形によって形成されることにより、平面的な形状だけでなく、立体的な形状まで提供可能である。
【００２０】
また、前記形状部２００を形成するに際して、特に文字の場合、草書体のように形状化して線香が連続的に燃焼して行けるようにすることが好ましい。
【００２１】
以上、本発明を図示の一実施例によって説明したが、これは例示のためのものに過ぎない。当該技術分野における通常の知識を有する者であれば、これらの実施例から様々な変形および均等な他の実施例に想到し得ることを理解するであろう。したがって、本発明の真正な技術的保護範囲は特許請求の技術的思想によって定められるべきである。
【図面の簡単な説明】
【００２２】
【図１】本発明に係る形状部を有する線香を示す斜視図である。
【図２】本発明に係る形状部を有する線香の様々な実施例を示す正面図である。
【符号の説明】
【００２３】
１００    本体
２００    形状部
【図１】
2007302662.tif 000003
【図２】
2007302662.tif 000004
(57)【要約】【課題】解決しようとする課題は、中空パネルにシート体を係止具にて取付ける際に、該シート体の厚さと該中空パネルの厚さとの合計よりも該係止具の首下の長さの方が長い場合、該係止具の先端を逃がすためにドリル等によって削孔をあける際誤ってインサートナットを傷つけるおそれがあるという点である。【解決手段】シート体と、捨て袋を除去されたブロー成形による中空パネルと、該中空パネルにインサート成形されたインサートナットと、該捨て袋痕の孔から突出するとともに、該インサートナットを介して該中空パネルと該シート体とを係止する係止具とで構成される中空パネル複合体とすることにより前記課題を解決した。【選択図】図４
2007302174.tif 000002
【特許請求の範囲】
【請求項１】
シート体と、捨て袋を除去されたブロー成形による中空パネルと、該中空パネルにインサート成形されたインサートナットと、該捨て袋痕の孔から突出するとともに、該インサートナットを介して該中空パネルと該シート体とを係止する係止具とからなることを特徴とする中空パネル複合体
【発明の詳細な説明】
【技術分野】
【０００１】
本発明は、自動車のカーペット等と中空パネルを組み合わせた中空パネル複合体に関する。
【背景技術】
【０００２】
係止構造に関する従来技術としては特許文献１内に従来例として示すようなものがある。
【特許文献１】特開平１０−５９０４６
【０００３】
しかし本特許願の図1に示すような構造の場合、前記従来例の手段では下記のような問題が発生する場合があった。
【０００４】
図１中で、１はブロー成形による中空パネル、２はシート体、３は係止具、４は該中空パネルにインサート成形されたインサートナットである。
【０００５】
該中空パネル1の厚さａが薄く、該シート体の厚さｂと該中空パネル1の厚さａとの合計よりも該係止具３の首下の長さｃの方が長い場合、ドリル等によって削孔５をあけて該係止具３の先端６を逃がす必要があるが、該削孔５をあける際誤って該インサートナット４を傷つけるおそれがあった。
【発明の開示】
【発明が解決しようとする課題】
【０００６】
解決しようとする課題は、シート体の厚さと中空パネルの厚さとの合計よりも係止具の首下の長さの方が長い場合、ドリル等によって削孔をあけて該係止具の先端を逃がす必要があるが、該削孔をあける際誤ってインサートナットを傷つけるおそれがあるという点である。本発明は上記の点を解決するためになされた。
【課題を解決するための手段】
【０００７】
本発明は、シート体と、捨て袋を除去されたブロー成形による中空パネルと、該中空パネルにインサート成形されたインサートナットと、該捨て袋痕の孔から突出するとともに、該インサートナットを介して該中空パネルと該シート体とを係止する係止具とからなることを最も主要な特徴とする。
【発明の効果】
【０００８】
本発明によれば、シート体の厚さと中空パネルの厚さとの合計よりも係止具の首下の長さの方が長い場合でも、ドリル等によって削孔をあける際のように誤ってインサートナットを傷つけるおそれがないという利点がある。
【発明を実施するための最良の形態】
【０００９】
シート体の厚さと中空パネルの厚さとの合計よりも係止具の首下の長さの方が長い場合でも、ドリル等によって削孔をあける際のように誤ってインサートナットを傷つけずに係止具の先端を逃がすという目的を、シート体と、捨て袋を除去されたブロー成形による中空パネルと、該中空パネルにインサート成形されたインサートナットと、該捨て袋痕の孔から突出するとともに、該インサートナットを介して該中空パネルと該シート体とを係止する係止具とで構成される中空パネル複合体とすることによって、経済性を損なわずに実現した。
【実施例１】
【００１０】
図２は、本発明の１実施例を示す断面図である。ブロー成形による中空パネル１と該中空パネルにインサート成形されたインサートナット４は図１と同様である。図１との違いは図１の該削孔５に相当する位置に捨て袋７が設けられていることである。
【００１１】
該ブロー成形の成形後、該捨て袋７を切断ライン８の位置でカッター等により切断し該捨て袋７を取り去る。
【００１２】
図３は該捨て袋７を取り去った後の該中空パネル１の断面図である。図１の該削孔５に相当する位置には該捨て袋痕としての切断孔９があいている。
【００１３】
図４は本発明による該中空パネル１に該シート体２を該係止具３によって係止している状態を示す断面図であるが、該係止具３の該先端６は該切断孔９を通過するため問題は生じない。
【００１４】
尚、本実施例ではシート体及び係止具の組み合わせで説明したが、該シート体の具体例としてはカーペット、ビニールシート、ウレタンシート等が挙げられ、該係止具の具体例としてはネジ、クリップ、ツリークリップ等が挙げられる。
【００１５】
以上実施例に述べたように本発明によれば、シート体の厚さと中空パネルの厚さとの合計よりも係止具の首下の長さの方が長い場合でも、ドリル等によって削孔をあける際のように誤ってインサートナットを傷つけるおそれがないという効果がある。
【産業上の利用可能性】
【００１６】
本発明は、自動車のカーペット等を中空パネルに取付ける手段として利用可能である。
【図面の簡単な説明】
【００１７】
【図１】従来技術による中空パネルの係止構造の断面図
【図２】本発明の実施例による中空パネルの断面図
【図３】図２の捨て袋を取り去った後の中空パネルの断面図
【図４】本発明の実施例による中空パネルの係止構造の断面図
【符号の説明】
【００１８】
１    中空パネル
２    シート体
３    係止具
４    インサートナット
５    削孔
６    先端
７    捨て袋
８    切断ライン
９    切断孔    
【図１】
2007302174.tif 000003
【図２】
2007302174.tif 000004
【図３】
2007302174.tif 000005
【図４】
2007302174.tif 000006
(57)【要約】【課題】従来、食品用通いコンテナには、製造日、消費期限、品名、重量など内容の詳細について、紙やシール又はプラスッチクなどで作られた板状のパネルに記入して、コンテナの淵や取っ手の縁に垂下又は、貼付して掲示していて、紙やシール、プラスッチクなどは時として欠損又は脱落して、それらが加工食品に混入することがあり、食品衛生上大きな問題である。【解決手段】本発明の形態の構成は、コンテナに水性マーカー（ホワイトボード用マーカー）の消去性が優れている表示板を予め装着し固定する。【選択図】図1
2007302308.tif 000002
【特許請求の範囲】
【請求項１】
前面板(1)、背面板(2)、右側板(3)、左側面板(4)のいずれかまたはすべてに、消費期限、製造日、品名、重量などの内容が記入できる表示板付コンテナであって、水性マーカー（ホワイトボード用マーカー）の消去性が優れている表示板を有することを特徴とするコンテナ。
【請求項２】
前記表示板はコンテナに装着、固定されていることを特徴とする請求項目1記載のコンテナ。
【請求項３】
前記表示板はホワイトボードであることを特徴とする請求項目1記載のコンテナ。
【請求項４】
前記表示板はフィルムであることを特徴とする請求項目1記載のコンテナ。
【発明の詳細な説明】
【技術分野】
【０００１】
本発明は食品コンテナに係る内容物の表示方法に関する。
【背景技術】
【０００２】
従来食品用コンテナにはシールやカード状の紙若しくは板状のパネルに、消費期限や製造日、商品名を記載し垂下又は貼付している。
【０００３】
しかしながら、表示用に使用している紙やパネルが時として欠損又は脱落して、その欠損部分が食品加工時に異物として混入して食品衛生上問題を起こす。
【０００４】
食品工場としても本来的には、不必要に食品以外の材料若しくは洗浄、滅菌などの処理を施していない材料は工場内への持ち込みはすべて禁止をしたいが、コンテナの内容物の表示については例外的にシールやカード状のパネルなどの使用を余儀なくされている。
【発明の開示】
【発明が解決しようとする課題】
【０００５】
よって、本発明は表示板を予めコンテナに装着、固定することによって、表示板の欠損や脱落による食品への異物の混入を防ぐ方法を開発する。
【課題を解決するための手段】
【０００６】
水性マーカー（ホワイトボード用マーカー）の消去性が優れている表示板又はフィルムをコンテナに装着、固定することを特徴とする方法。
【発明の効果】
【０００７】
この発明により食品工場内に消費期限や製造日などを書き込んだ紙や板、プラスチックなどを持ち込むことがなくなることにより、加工食品への異物混入を防止でき利便性と有用性が高い。
【発明を実施するための最良の形態】
【０００８】
以下、図面を参照して本発明の実施形態を詳細に説明する。
図１は本発明の構成を示す。前面板(1)、背面板(2)、右側板(3)、左側面板(4)の外側のいずれかに表示板(5)を装着、固定する。
【０００９】
表示板に製造日や消費期限などの内容を水性マーカー（ホワイトボード用マーカー）で書き込む。
【００１０】
表示板は消去性の高い素材（ポリエステル系フィルム）などを使用することにより、手持ちの布などで何度でも消去可能である。
【図面の簡単な説明】
【００１１】
【図１】本発明の構成を示す全体図である。
【符号の説明】
【００１２】
（１）前面板。(２) 背面板。(３) 右側板。（４）左側面板。（５）表示板。
【図１】
2007302308.tif 000003